(57)【要約】      （修正有）【課題】砂防ダムの流速によって移動する土石が最大値に至るまで土石の移動を制限する砂防ネット及び砂防ネットの施工方法を提供する。【解決手段】砂防ネットは、砂防ダムに設置固定されるワイヤネット１００及びワイヤネットが交差する部分に締結固定され、土石によってワイヤネットに加わる圧力を吸収する緩衝部２００を含むが、緩衝部は、ワイヤネットの後方に密着する第１胴体及びワイヤネットの前方に密着し、第１胴体と圧着して締結される第２胴体を含むことができる。【選択図】図１
2017180082.tif 000002
【特許請求の範囲】
【請求項１】
地盤、岩盤または砂防ダムに設置固定されるワイヤネット；及び
前記ワイヤネットが交差する部分に締結固定され、土石によって前記ワイヤネットに加わる圧力を吸収する緩衝部；を含むが、
前記緩衝部は、
前記ワイヤネットの後方に密着する第１胴体；及び
前記ワイヤネットの前方に密着し、前記第１胴体と圧着して締結される第２胴体；を含むことを特徴とする砂防ネット。
【請求項２】
前記ワイヤネットは、
四角形の枠を形成する第１ワイヤ；
前記第１ワイヤに締結固定、または稼働可能な常態で連結され、前記第１ワイヤと一定の角度を成すように形成された第２ワイヤ；及び
前記第２ワイヤと交差して四角形のパターンが維持されるように前記第１ワイヤに締合される第３ワイヤ；を含むことを特徴とする請求項１に記載の砂防ネット。
【請求項３】
前記第１胴体、
前記第１胴体の両側の内側面において前記第２胴体と向かい合う方向に突出するように形成された第１突出部；及び
前記第１胴体の上、下部の枠において前記第２胴体と向かい合う方向に突出するように形成された第１圧着部；を含み、
前記第２胴体は、
前記第２胴体の上、下部の内側面において前記第１胴体と向かい合う方向に突出するように形成された第２突出部；及び
前記第２胴体の両側の枠において前記第１胴体と向かい合う方向に突出するように形成された第２圧着部；を含むが、
前記第１圧着部は、前記第２胴体の外側面に屈曲して密着され、前記第２圧着部は、前記第１胴体の外側面に屈曲して密着した状態で、前記第１圧着部及び第２圧着部によって前記第１胴体及び第２胴体が互いに締結されるようにすることを特徴とする請求項１に記載の砂防ネット。
【請求項４】
前記ワイヤネットを連結するように砂防ダムの下部、または地山もしくは河床に設置固定され、互いに一定の間隔に離隔して備えられた２つ以上の固定部をさらに含むことを特徴とする請求項１に記載の砂防ネット。
【請求項５】
請求項１に記載の砂防ネットを用いた施工方法であって、
四角形の枠を形成する第１ワイヤと、一定の角度に傾くように斜線方向に前記第１ワイヤに結合される第２ワイヤと、前記第２ワイヤと交差して四角形のパターンが維持されるように前記第１ワイヤに結合される第３ワイヤと、前記第２ワイヤ及び第３ワイヤが交差する部分に締結される緩衝部とからなるワイヤネットを用意する段階；
砂防ダムの両側、または地盤もしくは岩盤に固定されたアンカー部に、前記ワイヤネットの一端を連結する段階；及び
砂防ダムの下部に固定された固定部に、前記ワイヤネットを連結する段階；を含むことを特徴とする砂防ネットを用いた施工方法。
【発明の詳細な説明】
【技術分野】
【０００１】
本発明は、砂防ネット及び砂防ネットの施工方法に関するもので、さらに詳しくはワイヤネットの交差する部分に緩衝部を締結して構成することにより、土石によってワイヤネットへ伝達される衝撃を吸収して分散するようにし、ワイヤネットが自由に変形可能で、砂防ダムの流速によって移動する土石が最大値に至るまで土石の移動を制限する砂防ネット及び砂防ネットの施工方法に関する。
【背景技術】
【０００２】
山崩れによる土石の移動を渓流で阻止する最も効果的な方法の一つは砂防ダムである。
【０００３】
このために不透過型のコンクリート砂防ダムが広く用いられており、最近は、スクリーンやスリット形式の透過型の砂防ダムなどが現場で多く施工されている。
【０００４】
また、コンクリート砂防ダムや鋼製砂防ダムの場合には、基礎工事のためにダムのところとその周辺に対して掘削と支障木の除去などのような事前整地作業が必要であり、それによる自然の破壊と工事のコストが発生し、小渓流に設置される人工の構造物による生態系の断絶と景観を損なうなどの問題が提起されている。
【０００５】
従って、砂防ダムの設置による景観を損なうことを最小化して周辺の景色と調和し、施工及び管理が容易な新たな形の砂防ダムに対する必要性が求められている。
【先行技術文献】
【特許文献】
【０００６】
【特許文献１】韓国公開実用新案第２０−２００８−０００３４１６号
【特許文献２】韓国公開特許第１０−２００８−００７６１７５号
【特許文献３】韓国登録特許第１０−１２５０１８５号
【特許文献４】韓国公開特許第１０−２０１１−００４５８２３号
【発明の概要】
【発明が解決しようとする課題】
【０００７】
本発明は、ワイヤネットの交差する部分に緩衝部を締結して構成することにより、土石によってワイヤネットへ伝達される衝撃を吸収して分散するようにし、ワイヤネットが自由に変形可能で、砂防ダムの流速によって移動する土石が最大値に至るまで土石の移動を制限する砂防ネットを提供することにある。
【０００８】
また、本発明は、アンカー部を固定するための別途の基礎工事を必要とせず、既存の地盤や岩盤を利用してアンカー部を固定して施工材料の運搬による制限または鋳型の設置と養生などに必要な工事期間の短縮など、経済的な施工が可能な砂防ネットの施工方法を提供することにある。
【０００９】
本発明が解決しようとする様々な課題は、以上で述べた課題に制限されず、述べられていない他の課題は、下の記載から当業者であれば明確に理解できる。
【課題を解決するための手段】
【００１０】
本発明による砂防ネットは、地盤、岩盤または砂防ダムに設置固定されるワイヤネット；及び前記ワイヤネットが交差する部分に締結固定され、土石によって前記ワイヤネットに加わる圧力を吸収する緩衝部；を含むが、前記緩衝部は、前記ワイヤネットの後方に密着する第１胴体；及び前記ワイヤネットの前方に密着し、前記第１胴体と圧着して締結される第２胴体；を含むことができる。
【００１１】
前記ワイヤネットは、四角形の枠を形成する第１ワイヤ；前記第１ワイヤに締結固定、または稼働可能な常態で連結され、前記第１ワイヤと一定の角度を成すように形成された第２ワイヤ；及び前記第２ワイヤと交差して四角形のパターンが維持されるように前記第１ワイヤに締合される第３ワイヤ；を含むことができる。
【００１２】
前記第１胴体、前記第１胴体の両側の内側面において、前記第２胴体と向かい合う方向に突出するように形成された第１突出部；及び前記第１胴体の上、下部の枠において、前記第２胴体と向かい合う方向に突出するように形成された第１圧着部；を含み、前記第２胴体は、前記第２胴体の上、下部の内側面において、前記第１胴体と向かい合う方向に突出するように形成された第２突出部；及び前記第２胴体の両側の枠において、前記第１胴体と向かい合う方向に突出するように形成された第２圧着部；を含むが、前記第１圧着部は、前記第２胴体の外側面に屈曲して密着され、前記第２圧着部は、前記第１胴体の外側面に屈曲して密着した状態で前記第１圧着部及び第２圧着部によって前記第１胴体及び第２胴体が互いに締結されることができる。
【００１３】
前記ワイヤネットを連結するように砂防ダムの下部、または地山もしくは河床に設置固定され、互いに一定の間隔に離隔して備えられた２つ以上の固定部を含むことができる。
【００１４】
また、本発明による砂防ネットの施工方法は、四角形の枠を形成する第１ワイヤと、一定の角度に傾くように斜線方向に前記第１ワイヤに結合される第２ワイヤと、前記第２ワイヤと交差して四角形のパターンが維持されるように前記第１ワイヤに結合される第３ワイヤと、前記第２ワイヤ及び第３ワイヤが交差する部分に締結される緩衝部とからなるワイヤネットを用意する段階；砂防ダムの両側、または地盤もしくは岩盤に固定されたアンカー部に、前記ワイヤネットの一端を連結する段階；及び砂防ダムの下部に固定された固定部に、前記ワイヤネットを連結する段階；を含むことができる。
【００１５】
その他の実施例の具体的な事項は、詳細な説明及び図面に含まれている。
【発明の効果】
【００１６】
本発明による砂防ネットは、ワイヤネットの交差する部分に緩衝部を締結して構成することにより、土石によってワイヤネットへ伝達される衝撃を吸収して分散するようにし、ワイヤネットが自由に変形可能で、砂防ダムの流速によって移動する土石が最大値に至るまで土石の移動を制限するという効果がある。
【００１７】
また、本発明による砂防ネットの施工方法は、アンカー部を固定するための別途の基礎工事を必要とせず、既存の地盤や岩盤を利用してアンカー部を固定して施工材料の運搬による制限または鋳型の設置と養生などに必要な工事期間の短縮など、経済的な施工が可能な効果がある。
【００１８】
本発明の技術的な思想の実施例は、具体的に述べられていない様々な効果を提供することができるということが十分理解できる。
【図面の簡単な説明】
【００１９】
【図１】本発明による砂防ネットを概略的に示した図面である。
【図２】図１の“Ａ”の部分を拡大して示した図面である。
【図３】本発明による砂防ネットで緩衝部の分解された状態を示した図面である。
【図４】本発明による砂防ネットで緩衝部の結合された状態を示した図面である。
【図５】本発明による砂防ネットが施工された状態を示した図面である。
【図６】図５の“Ｂ”の部分を拡大して示した図面である。
【発明を実施するための内容】
【００２０】
本発明の利点及び特徴、またそれらを達成する方法は、添付の図面とともに詳しく後述している実施例を参照すると明確になる。しかしながら、本発明は、ここで説明する実施例に限定されず、他の形態で具体化されることもできる。あえて、ここで紹介する実施例は、開示された内容が徹底且つ完全になるように、そして当業者に本発明の思想が十分伝達されるようにするために提供されるものである。図面において、層及び領域の厚さは、明確性を期するために誇張されたものである。
【００２１】
第１、第２などの用語は、様々な構成要素を説明するにおいて使用され得るが、前記の構成要素は、前記用語によって限定されるものではない。前記用語は、一つの構成要素を他の構成要素から区別するための目的として使用される。例えば、本発明の権利範囲を逸脱することなく、第１構成要素は第２構成要素と命名されることができ、同様に第２構成要素は第１構成要素と命名されることができる。
【００２２】
上段、下段、上面、下面、または上部、下部などの用語は、構成要素において相対的な位置を区別するために使用されたものである。例えば、便宜上、図面上の上側を上部、図面上の下側を下部と命名する場合、実際においては本発明の権利範囲を逸脱することなく、上部は下部と命名されることができ、下部は上部と命名されることができる。
【００２３】
本出願において使用した用語は、単に特定の実施例を説明するために使用されたものであって、本発明を限定しようとするものではない。単数の表現は、文脈上明確に異なる意味でない限り、複数の表現を含む。本出願において、“含む”または“有する”などの用語は、明細書上に記載された特徴、数字、段階、動作、構成要素、部分品またはこれらを組み合わせたものが存在することを指定しようとするものであって、一つまたはそれ以上の他の特徴や数字、段階、動作、構成要素、部分品またはこれらを組み合わせたものの存在または付加可能性を予め排除するものではないと理解されるべきである。
【００２４】
他に定義されない限り、技術的或いは科学的な用語を含んでここで使用されるすべての用語は、本発明が属する技術分野において通常の知識を有する者によって一般的に理解されるものと同様の意味がある。一般的に使用される辞書に定義されているのと同じ用語は、関連技術の文脈上有する意味と一致する意味があると解釈されるべきであり、本出願において明確に定義されていない限り、理想的あるいは過度に形式的な意味として解釈されてはならない。
【００２５】
以下、添付の図面を参照して本発明による砂防ネットに対する好ましい実施例を詳しく説明する。
【００２６】
図１は、本発明による砂防ネットを概略的に示した図面であり、図２は、図１の“Ａ”部分を拡大して示した図面であり、図３は、本発明による砂防ネットで緩衝部の分解された状態を示した図面であり、図４は、本発明による砂防ネットで緩衝部の結合された状態を示した図面であり、図５は、本発明による砂防ネットが施工された状態を示した図面であり、図６は、図５の“Ｂ”部分を拡大して示した図面である。
【００２７】
図１乃至図６を参照すると、本発明による砂防ネットは、ワイヤネット１００及び緩衝部２００を含むことができる。
【００２８】
ワイヤネット１００は、河川渓流で発生する土石及び雑木などの流失による土砂の災害を事前に予防するための地盤、岩盤または砂防ダムに設置されるもので、四角形の枠を形成する第１ワイヤ１１０と、第１ワイヤと一定の角度を成すように形成され第１ワイヤ１１０に結合される第２ワイヤ１２０と、第２ワイヤ１２０と交差して四角形のパターンが維持されるように第１ワイヤ１１０に結合される第３ワイヤ１３０とで構成されることができる。
【００２９】
一方、第２ワイヤ１２０と第３ワイヤ１３０を用いて四角形のパターンを形成したが、必ずしもこれに限定されるものではなく、例えば、第２ワイヤ１２０が第１ワイヤ１１０に垂直方向に連結され、第３ワイヤ１３０が第１ワイヤ１１０に水平方向に連結され第２ワイヤ１２０と第３ワイヤ１３０が四角のパターンが形成されるように様々なパターンからなってもよい。
【００３０】
第２ワイヤ１２０及び第３ワイヤ１３０は、第１ワイヤ１１０にクリップを利用して圧着したり、またはシャックルなどのような締結具を用いて固定されることができる。
【００３１】
前記のようなワイヤネット１００を使用すると、砂防ダムに構造によって特性に合わせて製作が容易であり、着脱が容易で、ワイヤネット１００のメンテナンス及び取り替えが容易であり、土砂石力を容易かつ便利に除去することができる。
【００３２】
本発明によるワイヤネット１００は、砂防ダムの両側、または地盤もしくは岩盤に挿入固定されるアンカー部３００を含むことができる。
【００３３】
アンカー部３００は、一定径を有する複数の筋の針金を互いによじって柔軟性を有するように形成するワイヤロープ３１０と、ワイヤロープ３１０の一端の一部を折って形成した環部３２０とで構成されることができる。
【００３４】
すなわち、従来に砂防ダムの両側、または地盤もしくは岩盤にアンカーボルトなどを施工する場合、アンカーを固定するための別途の基礎作業が必要であったが、本発明では、このような基礎作業を行わずにすぐ既存の地盤または岩盤に設置できるようにワイヤロープ３１０を使用することができる。
【００３５】
そして、アンカー部３００は、砂防ダムの側面を穿孔して穿孔された部分に挿入した後、環部３２０の部分を除いた残りの部分が固定されるように穿孔された部分からセメントなどを注入して固定されるようにする。
【００３６】
前記のような柔軟性を有するアンカー部３００を使用すると、別途のコンクリート基礎が無くても砂防ダムの側面を構成する岩盤などに直接設置が可能であり、岩盤の状態によってアンカー部３００の埋設の長さを調節することができ、地形が屈曲した部分も施工できるという長所がある。
【００３７】
また、発明によるワイヤネット１００は、第１ワイヤ１１０の両側を固定支持する締結部４００及び第１ワイヤ１１０の中間部分を固定支持する固定部５００を含むことができる。
【００３８】
締結部４００は、第１ワイヤ１１０の両側に位置する連結部４１０と、連結部４１０及び第１ワイヤ１１０が互いに固定されるように締結するクリップ４２０とをさらに含むことができる。
【００３９】
例えば、連結部４１０を環部３２０に挿入した状態で、第１ワイヤ１１０と近接して位置した後、連結部４１０が第１ワイヤ１１０に締結されるように連結部４１０の一端及び他端にクリップ４２０を締結して固定する。
【００４０】
すなわち、連結部４１０は、第１ワイヤ１１０に締結固定され、アンカー部３００は連結部４１０に締結固定されるようにする。そして、ワイヤネット１００の破損によるワイヤネット１００の取替えの際に連結部４１０の部分を切断してアンカー部３００とワイヤネット１００が互いに分離されるようにする。
【００４１】
固定部５００は、砂防ダムの下部、または地山もしくは河床に設置固定され、ワイヤネット１００の前面に位置し、第２ワイヤ１２０または第３ワイヤ１３０と着脱可能であるようにフックなどで締結固定されることができる。
【００４２】
また、固定部５００は、支柱台の形態で形成され、ワイヤネット１００の垂直方向に設置され、ワイヤネット１００から発生する圧力が分散するようにするため、ワイヤネット１００の長さ方向に一定の間隔離隔するように少なくとも一つ以上形成されることができる。
【００４３】
すなわち、土石または石力などが移動するどき、ワイヤネット１００の中央または一側に偏ると、その衝撃で第２ワイヤ１２０または第３ワイヤ１３０が伸び過ぎて破損する現象が起きることがあるが、このようなワイヤの破損を防止するために固定部５００が設置されることができる。
【００４４】
緩衝部２００は、第２ワイヤ１２０及び第３ワイヤ１３０が交差する部分に締結され、土石によってワイヤネット１００へ伝達される衝撃を吸収するために備えられることができる。すなわち、土石または石力などが移動するとき、ワイヤネット１００に衝撃が加えられると、その衝撃によって発生する圧力の伝達を受けて近接した他の緩衝部２００に分散されるようにする。
【００４５】
また、緩衝部２００は、第２ワイヤ１２０及び第３ワイヤ１３０の後方に密着する第１胴体２１０と、第２ワイヤ１２０及び第３ワイヤ１３０の前方に密着し、第１胴体２１０と結合固定される第２胴体２２０とを含むことができる。
【００４６】
第１胴体２１０は、内側面の両側に形成された第１突出部２１１と、上、下部の枠の部分に形成された第１圧着部２１２とをさらに含むことができる。
【００４７】
第１突出部２１１は、第１胴体２１０の内側面において、第２胴体２２０と向かい合う方向に突出するように形成され、“Ｘ”字状からなる第２ワイヤ１２０及び第３ワイヤ１３０が動かないように支持して案内するために備えられることができる。すなわち、第２ワイヤ１２０及び第３ワイヤ１３０が第１胴体２１０の内側面に密着した状態になると、第２ワイヤ１２０及び第３ワイヤ１３０の交差した部分は、第１突出部２１１によって第１胴体２１０の中央に位置するように案内すると同時に支持されるようにする。
【００４８】
第１圧着部２１２は、第１胴体２１０の内側面において、第２胴体２２０と向かい合う方向に突出するように形成され、第１胴体２１０が第２胴体２２０に結合して固定されるようにするために備えられることができる。すなわち、第１胴体２１０と第２胴体２２０が互いに密着した状態で、第１圧着部２１２を第２胴体２２０の外側面の方向に折り曲げて第２胴体２２０の外側面に密着するようにする。
【００４９】
第２胴体２２０は、内側面の上、下部に形成された第２突出部２２１と、両側の枠の部分に形成された第２圧着部２２２とをさらに含むことができる。
【００５０】
第２突出部２２１は、第２胴体２２０の内側面において、第１胴体２１０と向かい合う方向に突出するように形成され、“Ｘ”字状からなる第２ワイヤ１２０及び第３ワイヤ１３０が動かないように支持して案内するために備えられることができる。すなわち、第２ワイヤ１２０及び第３ワイヤ１３０が第２胴体２２０の内側面に密着した状態になると、第２ワイヤ１２０及び第３ワイヤ１３０の交差された部分は、第２突出部２２１によって第２胴体２２０の中央に位置するように案内すると同時に支持されるようにする。
【００５１】
第２圧着部２２２は、第２胴体２２０の内側面において第１胴体２１０と向かい合う方向に突出するように形成され、第２胴体２２０が第１胴体２１０に結合して固定されるようにするために備えられることができる。すなわち、第２胴体２２０と第１胴体２１０が互いに密着した状態で、第２圧着部２２２を第１胴体２１０の外側面の方向に折り曲げて第１胴体２１０の外側面に密着するようにする。
【００５２】
一方、前記のような緩衝部２００を使用すると、ワイヤネット１００が一定の範囲内で自由に変形され土石が最大値に至るまで土石の移動を制限すると同時に流水のみ下流に流すという長所があり、特に、第１突出部２１１及び第２突出部２２１を使用すると、第１胴体２１０と第２胴体２２０が結合するとき、自動に互いに一致するようにするという長所がある。
【００５３】
また、第１胴体２１０及び第２胴体２２０が互いに結合するとき、外部に別途に備えられたプレス装置などを利用して締結することができる。
【００５４】
例えば、プレス装置の上に第１胴体２１０を載せた後、第２ワイヤ１２０及び第３ワイヤ１３０が交差する部分を第１胴体２１０の上に載せ、再度第２胴体２２０を第１胴体２１０と互いに向かい合う方向に第２ワイヤ１２０及び第３ワイヤ１３０が交差する部分に乗せた後、プレス装置を作動させて圧着するが、この際に、第１圧着部２１２は、第２胴体２２０の外側面に屈曲して結合され、第２圧着部２２２は、第１胴体２１０の外側面に屈曲して結合することになる。
【００５５】
以下、添付の図面を参照して本発明による砂防ネットの施工方法について説明する。
【００５６】
図１乃至図６を参照すると、本発明による砂防ネットの施工方法は、ワイヤネット１００を用意する段階、アンカー部３００を砂防ダムの両側、または地盤もしくは岩盤に締結する段階、固定部５００を砂防ダムの下部に締結する段階、ワイヤネット１００をアンカー部３００に固定する段階及びワイヤネット１００を固定部５００に固定する段階を含むことができる。
【００５７】
ワイヤネット１００を用意する段階は、流速によって土石などの移動を制限するために第１ワイヤ１１０、第２ワイヤ１２０及び第３ワイヤ１３０で構成されたワイヤネット１００を別途に用意する。
【００５８】
また、第２ワイヤ１２０と第３ワイヤ１３０が交差する部分に緩衝部２００を締結して使用することができるが、このような緩衝部２００は、土石によってワイヤネット１００に発生する圧力を分散するようにする。
【００５９】
アンカー部３００を砂防ダムの両側、または地盤もしくは岩盤に設置する段階は、砂防ダムの両側、または地盤もしくは岩盤に穿孔された部分にアンカー部３００を挿入した後、セメントを注入してセメントが硬化するようにした後、アンカー部３００が固定するようにする段階である。
【００６０】
固定部５００を砂防ダムの下部に設置する段階は、固定部５００の下部の一部を砂防ダムの底面に挿入させ、挿入された部分を除いた残りの部分が上部に突出するように固定し、ワイヤネット１００の長さ方向に少なくとも一つ以上設置する段階である。
【００６１】
ワイヤネット１００をアンカー部３００に固定する段階は、ワイヤネット１００の両側を固定させることでワイヤネット１００の外側に備えられた締結部４００とアンカー部３００を固定する段階である。
【００６２】
ワイヤネット１００を固定部５００に固定する段階は、ワイヤネット１００の長さ方向に一定の間隔離隔するように、少なくとも一つ以上形成された固定部５００及びワイヤネット１００が互いに固定されるようにワイヤネット１００の前方の部分をフックまたはクリップなどで固定する段階である。
【００６３】
以上、添付の図面を参照して本発明の好ましい一実施例を説明したが、本発明が属する技術分野において通常の知識を有する者であれば、本発明がその技術的思想や必須的な特徴を変更することなく、他の具体的な形態で実施できるということを理解することができる。従って、以上で述べた一実施例は、全ての面において例示的なものであり、限定的なものではないと理解すべきである。
【符号の説明】
【００６４】
１００；ワイヤネット                    １１０；第１ワイヤ
１２０；第２ワイヤ               １３０；第３ワイヤ
２００；緩衝部                          ２１０；第１胴体
２１１；第１突出部               ２１２；第１圧着部
２２０；第２胴体                        ２２１；第２突出部
２２２；第２圧着部               ３００；アンカー部
３１０；ワイヤロープ                    ３２０；環部
４００；締結部                          ４１０；連結部
４２０；クリップ                        ５００；固定部
【図１】
2017180082.tif 000003
【図２】
2017180082.tif 000004
【図３】
2017180082.tif 000005
【図４】
2017180082.tif 000006
【図５】
2017180082.tif 000007
【図６】
2017180082.tif 000008